(57)【要約】【課題】竹チップを利用して自然産卵床、飼育床、さらには竹が持っている栄養成分、ミネラル、食物繊維などを幼虫の飼料として利用し、かぶと虫の幼虫の食用化を見据えて安全性をも考慮に入れた幼虫の成長を促がす竹材によるかぶと虫の産卵飼育床に関する。【解決手段】竹チップ１、又は綿状物１’、又は混合物１”に、脱塩水の海洋深層水、又は脱塩水の海洋深層水と乳酸菌を１０：１の割合にしたものを散布したもの、又は散布しないものを、上面に複数の小孔２’をあけたビニ−ル袋２に詰めてなる竹材によるかぶと虫の産卵飼育床。【選択図】図１
0003131516.tif 000002
【実用新案登録請求の範囲】
【請求項１】
伐採した成竹の根っこ、幹、枝葉の全部を数センチメ−トルのチップ状に破砕し、その竹チップ（１）を堆積し、成竹の大きさによって約１〜６か月間外で寝かせ、自然に分解させてなる竹材によるかぶと虫の産卵飼育床。
【請求項２】
伐採した成竹の幹を数センチメ−トルのチップ状に破砕し、これに約１０気圧の圧力を加えて木質と繊維を分離し、綿状にほぐした綿状物（１’）を堆積し、外で寝かせ、自然に分解させてなる竹材によるかぶと虫の産卵飼育床。
【請求項３】
伐採した成竹の根っこ、幹、枝葉の全部を数センチメ−トルのチップ状に破砕し、これに、竹チップのすでに堆肥化されたものを約１０％と、米糠約１０％と、鶏糞約１０％以上の割合で混合した混合物を堆積し、外で寝かせ、自然に分解させてなる竹材によるかぶと虫の産卵飼育床。
【請求項４】
脱塩水の海洋深層水、又は脱塩水の海洋深層水と乳酸菌を１０：１の割合にしたものを散布してなる請求項１、又は請求項２、又は請求項３記載の竹材によるかぶと虫の産卵飼育床。
【請求項５】
請求項１の竹チップ（１）、又は請求項２の綿状物（１’）、又は請求項３の混合物（１”）に、請求項４の脱塩水の海洋深層水、又は脱塩水の海洋深層水と乳酸菌を１０：１の割合にしたものを散布したもの、又は散布しないものを、上面に複数の小孔（２’）をあけたビニ−ル袋（２）に詰めてなる竹材によるかぶと虫の産卵飼育床。
【請求項６】
請求項１の竹チップ（１）、又は請求項２の綿状物（１’）、又は請求項３の混合物（１”）に、請求項４の脱塩水の海洋深層水、又は脱塩水の海洋深層水と乳酸菌を１０：１の割合にしたものを散布したもの、又は散布しないものの層と、それより薄い畑の表土（５）とを交互に重ねて重層状態にし、その最上面の一部分に雨除けビニ−ルシ−ト（４）を載せてなる竹材によるかぶと虫の産卵飼育床。
【請求項７】
請求項１の竹チップ（１）、又は請求項２の綿状物（１’）、又は請求項３の混合物（１”）に、請求項４の脱塩水の海洋深層水、又は脱塩水の海洋深層水と乳酸菌を１０：１の割合にしたものを散布したもの、又は散布しないものを山状に積み、その中に、多数の孔（６’）をあけた送気用塩化ビニ−ルパイプ（６）を挿入してなる竹材によるかぶと虫の産卵飼育床。
【請求項８】
山状に積んだものの上に、トタン屋根（８）又は雪除けビニ−ルシ−ト（７）を覆ってなる、請求項７記載の竹材によるかぶと虫の産卵飼育床。
【請求項９】
請求項１の竹チップ（１）、又は請求項２の綿状物（１’）、又は請求項３の混合物（１”）を山状に積んだものの高さは、請求項６の重層状のものをも含めて、脱塩水の海洋深層水の散布の有無に拘らず、約１．５ｍ以下にしてなる竹材によるかぶと虫の産卵飼育床。
【請求項１０】
網目が２ｃｍ以下の金網又はビニ−ル網をかぶせてなる請求項５記載の竹材によるかぶと虫の産卵飼育床。
【請求項１１】
請求項１の竹チップ（１）、又は請求項２の綿状物（１’）、又は請求項３の混合物（１”）に、請求項４の脱塩水の海洋深層水、又は脱塩水の海洋深層水と乳酸菌を１０：１の割合にしたものを散布したもの、又は散布しないものの堆積物でなる越冬床としてのかぶと虫の産卵飼育床の上面の一部分にビニ−ル覆い（１１）を載せてなる竹材によるかぶと虫の産卵飼育床。
【請求項１２】
産卵飼育床として使用した床土は、虫かご用の床土として使用してなる、請求項１、又は請求項２、又は請求項３、又は請求項４、又は請求項５、又は請求項６、又は請求項７記載の竹材でなるかぶと虫の産卵飼育床。
【請求項１３】
産卵飼育床として使用した床土は、肥料として使用してなる、請求項１、又は請求項２、又は請求項３、又は請求項４、又は請求項５、又は請求項６、又は請求項７記載の竹材でなるかぶと虫の産卵飼育床。
【考案の詳細な説明】
【技術分野】
【０００１】  本考案は、竹材によるかぶと虫の産卵飼育床に関し、特に、竹チップを利用して自然産卵床、飼育床、さらには竹が持っている栄養成分、ミネラル、食物繊維などを幼虫の飼料として利用し、かぶと虫の幼虫の食用化を見据えて安全性をも考慮に入れた幼虫の成長を促がす竹材によるかぶと虫の産卵飼育床に関する。
【背景技術】
【０００２】  従来から、昆虫を利用した技術は養蜂や、養蚕など幾つかあるが、これまでかぶと虫は人工的に利用されたことはなく自然の中での成長にとどまっている。日本には、かぶと虫は一種類のみ棲息しており、真夏の暑い時にだけ成虫になって活動する。かぶと虫は、くぬぎやこならなどの樹木を好み、その落ち葉が堆積して腐葉土となる中で自然繁殖し、成虫となり、子どもたちの夏休みの生態観察に供されてきた。
しかし、成虫ではなく幼虫の利用、特に、食用に利用することはこれまで考えられたことはないので、かぶと虫の産卵飼育床となる落ち葉の堆肥化の期間を、より短縮させることにより、結果的に幼虫を、より短期間に、より多く、より大きく飼育する方法も考えられたことはない。まして、竹チップを利用して自然産卵床、飼育床とし、同時にかぶと虫の幼虫の飼料にすることなど考えられたことはない。
一般に、落ち葉等の堆肥化においては、窒素分を与え、切り替えをし、１年間堆積しなければ産卵させることはできない。【０００３】
【実用新案登録文献１】
なし
【非実用新案登録文献１】
なし
【考案の開示】
【考案が解決しようとする課題】
【０００４】  かぶと虫の産卵飼育床の素材となる竹には、ヘミセルロ−ス（糖分）、セルロ−ス（炭水化物）、リグニン（炭化水素）、種々のミネラル、ケイ酸、必須アミノ酸、ビタミンＡ、Ｂ、Ｃ、Ｋ等が含まれているので、かぶと虫の幼虫の飼料に適する。種々のミネラルには、カルシウム、カリウム、リン、鉄、マグネシウム、セレン、亜鉛等が含まれる。（検査方法は竹の粉末を試料にして茶の方法で試験した。）【０００５】  竹チップが自然分解するには、微生物が働かなければならない。微生物の体も有機生物であって窒素分を必要とする。有機物を分解するための微生物が増殖するには、その分解する元素量に見合う窒素が必要である。有機物は炭素分が多いので土壌中の有機物のＣ／Ｎ比（炭素と窒素の比）が高いと窒素は細菌に餌として採り込まれ、微生物の菌体構成分となる。竹の青葉の部分は窒素分が多いので、窒素分の補充のため竹の枝葉を破砕して入れることにより、他から窒素分を補充しなくても微生物が竹チップを十分に分解し、竹の自然の落葉の腐葉土と同じ腐葉土ができる、つまり堆肥化されるのである。【０００６】  さらに、竹の幹部の組織の維管束とその構成部の導管や篩管維管束鞘を連絡する孔が、微生物の格好の棲み家となる。
有機物を分解する微生物は主に好気性菌である。有機物が分解されていくと空間が減少し嫌気性の環境になっていく。従って分解が進んでも通気性が保たれる環境が望ましい。それには、強度があり、中孔の多いセルロ−ス分が混ざっているのが微生物の棲み家として望ましく、その意味でも竹材は好適である。
このような理由から、かぶと虫の産卵飼育床の素材として竹を利用する。【０００７】  そこで、竹チップを利用してかぶと虫の自然産卵床、飼育床とし、同時にかぶと虫の幼虫の飼料にし、最終的には肥料としても利用できるようにすることを本考案の第１の課題とする。
かぶと虫の産卵飼育床となる竹チップの堆肥化の期間を、より短縮させることにより、結果的に、幼虫の成育期間をより短縮させ、より大きく飼育することを本考案の第２の課題とする。
竹チップの堆肥化においては、窒素分を与えたり、切り替えをしたりする必要がなく、積雪の地においても、また塩化ビニ−ル袋に入れてアスファルト地面の上においても利用できるようなかぶと虫の産卵飼育床を提供することを本考案の第３の課題とする。
かぶと虫の幼虫の利用、特に食用に供することを想定して、幼虫の飼育中、人の健康に不適切と思われる添加物を一切使用しないように配慮した、かぶと虫の産卵飼育床を提供することを本考案の第４の課題とする。
かぶと虫のほか、くわがたも含むものとする。
【課題を解決するための手段】
【０００８】  本考案は、伐採した成竹の根っこ、幹、枝葉の全部をチップ状に破砕し、その竹チップ１を堆積し、成竹の大きさによって約１〜６か月間外で寝かせ、自然に分解させてなる竹材によるかぶと虫の産卵飼育床であり、
また、伐採した成竹の幹を数センチメ−トルのチップ状に破砕し、これに約１０気圧の圧力を加えて木質と繊維を分離し、綿状にほぐした綿状物１’を堆積し、外で寝かせて自然に分解させてなる竹材によるかぶと虫の産卵飼育床であり、
また、伐採した成竹の根っこ、幹、枝葉の全部を数センチメ−トルのチップ状に破砕し、これに、竹チップのすでに堆肥化されたものを約１０％と、米糠約１０％と、鶏糞（自然に放し飼いされたもののみ使用）約１０％以上の割合で混合した混合物を堆積し、外で寝かせ、自然に分解させてなる竹材によるかぶと虫の産卵飼育床であり、
また、脱塩水の海洋深層水、又は脱塩水の海洋深層水と乳酸菌を１０：１の割合にしたものを散布してなる請求項１、又は請求項２、又は請求項３記載の竹材によるかぶと虫の産卵飼育床であり、
請求項１の竹チップ１、又は請求項２の綿状物１’、又は請求項３の混合物１”に、請求項４の脱塩水の海洋深層水、又は脱塩水の海洋深層水と乳酸菌を１０：１の割合にしたものを散布したもの、又は散布しないものを、上面に複数の小孔２’をあけたビニ−ル袋２に詰めてなる竹材によるかぶと虫の産卵飼育床である。
【考案の効果】
【０００９】  竹は、かぶと虫の産卵や幼虫の成育に次のような効果を有する。
竹はブドウ糖が多く、植物糖分を有する。竹澱粉は窒素を還元して養分を作り、ブドウ糖は脂肪となる。ブドウ糖が土の中に入ると微生物の餌となり、燐溶解細菌を増殖する。竹は鉄、マグネシウムを多量に含むので鉄蛋白の中核成分の働きで肥料バランスがよくなる。鉄は窒素や燐酸と結合するため栄養豊富な竹腐葉土になる。マグネシウムは葉緑素の中核成分である炭酸同化作用の必須成分である。
さらに、竹は、微生物の餌として次のような効果を有する。
有機物の分解は、低分子糖分、セルロ−ズ、ヘミセルロ−ズ、リグニンへと化学変化する。この分解過程では、種類の異なる多くの微生物が一定の法則で現れ消える（微生物遷移）。糖質分が多いと微生物の活動が活発化し、生育し易くなる（多糖類微生物増殖）。小動物の餌となり昆虫やみみずの発生を促す。微生物の遷移期間中、微生物の分泌物や排泄物が植物に吸態燐を生する。そして微生物中の燐溶解性細菌が好む燐酸質の餌が出来るので竹チップがかぶと虫の産卵育成床となる。
また、竹は、微生物の住み処としての優れた物理的条件をもつ効果を有する。
有機物の分解微生物の主たるものは好気性菌であるため、有機物の分解は周囲の空間を減少させることになり、嫌気性環境となるので通気性環境が望まれる。竹は強度で中孔の多いセルロ−スができるので微生物の住み処としての優れた環境をもたらす。【００１０】  上述のような竹の効用に鑑み、本考案は、竹チップを利用してかぶと虫の自然産卵床、飼育床とし、同時にかぶと虫の幼虫の飼料にして成育を促し、最終的には肥料としても利用できる効果がある。
竹材を、請求項１の竹チップ１や、請求項２の綿状物１’や、請求項３の混合物１”に加工することにより、竹チップの堆肥化の期間を短縮させ、結果的に、幼虫の成育期間をそれだけ短縮させ、竹の餌によってより大きく成育させることができる効果がある。
竹チップの堆肥化においては、窒素分の多い竹の枝葉もチップにするので窒素分を与える必要がなく、竹の強度で中孔の多いセルロ−スにより切り替えをする必要がなく、積雪の地においても、通気孔のあるビニ−ルパイプや雪よけビニ−ルシ−トの使用により、本考案のかぶと虫の産卵飼育床を利用でき、また普通の塩化ビニ−ル袋に入れてアスファルト地面の上においても利用できる効果がある。
添加物としては、脱塩水の海洋深層水、乳酸菌、米糠を使用し、人の健康に配慮しているので、本考案の産卵飼育床で成育した幼虫を安心して食用に供することができる効果がある。
【考案を実施するための最良の形態】
【００１１】  伐採した成竹の幹を植繊機で３〜５ｃｍのチップ状に破砕し、これに約１０気圧の圧力を加えて木質と繊維を分離し、綿状にほぐした綿状物１’を、縦、横、高さが４０＊６０＊１５ｃｍの塩化ビニ−ル袋２に約４０リットル詰めて産卵飼育床とする。このビニ−ル袋２には、上面に小孔２’を２０か所くらい開け、雨水が入るようにする。水分は自然に放置して６０〜７０％を保持する。これを外で寝かせて分解堆肥化させる。産卵から約８か月間自然にしておく。幼虫は綿状物を餌として３回ほど蛹化して３齢となる。う化後、３か月で約４０グラムの幼虫になる。
【実施例１】
【００１２】  伐採した成竹（大きい竹から小さい竹まで）の根っこ、幹、枝葉の全部を、大型粉砕機で１〜５ｃｍのチップ状に破砕する。その竹チップ１を堆積し、細い竹では１か月くらい、太い竹では６か月くらい自然に外で寝かせ、自然に分解させる。枝葉を同時に破砕することにより破砕、堆積後、３日くらいで約８０度の温度になる。この場合、分解が一般の堆肥化より半分以下の日数で早く進み、かぶと虫の産卵床、幼虫の飼育床、餌としてそれだけ早く利用できる。
自然界、竹林、山林に自然産卵させる場合、６月の終わり頃、脱塩水の海洋深層水、又は脱塩水の海洋深層水と乳酸菌を１０：１の割合にしたものを堆積した竹チップ１に散布する。１〜６か月寝かせた産卵飼育床は自然乾燥や機械乾燥させておけば、後で水分を加えるだけで産卵床、飼育床としてすぐに利用できる。
脱塩水の海洋深層水は、産卵半月ほど前に３立方メ−トルの堆積した竹チップ１に４０リットル散布する。
【実施例２】
【００１３】  伐採した成竹の幹を、植繊機で３〜５ｃｍのチップ状に破砕し、これに約１０気圧の圧力を加えて木質と繊維を分離してほぐし、綿状にほぐした綿状物１’を、を堆積し、外で寝かせて自然に分解させてなるかぶと虫の産卵飼育床である。このように木質と繊維を分離してほぐすと、通常の堆肥化の期間より３分の１の期間で堆肥化ができる。早く堆肥化、即ち腐葉土化できれば、それだけ早く産卵させることができる。
この場合も、脱塩水の海洋深層水、又は脱塩水の海洋深層水と乳酸菌を１０：１の割合にしたものを、堆積し、綿状にほぐした綿状物１’に散布することもできる。
【実施例３】
【００１４】  伐採した成竹の根っこ、幹、枝葉の全部を、大型粉砕機で１〜５ｃｍのチップ状に破砕する。これに、竹チップのすでに堆肥化されたものを約１０％と、米糠約１０％と、鶏糞（  自然に放し飼いされたもののみ使用）約１０％以上の割合で混合した混合物１”を堆積し、外で寝かせ、自然に分解させてなるかぶと虫の産卵飼育床である。
この場合も、脱塩水の海洋深層水、又は脱塩水の海洋深層水と乳酸菌を１０：１の割合にしたものを、堆積した混合物に１”に散布することもできる。
【実施例４】
【００１５】  図１に示すように、請求項１の竹チップ（実施例１）１、又は請求項２の綿状物（実施例２）１’、又は請求項３の混合物（実施例３）１”を、縦、横、高さが４０＊６０＊１５ｃｍの塩化ビニ−ル袋２に約４０リットル詰めて産卵飼育床とする。このビニ−ル袋２には、上面に小孔２’を２０か所くらい開け、雨水が入るようにする。水分は自然に放置して６０〜７０％を保持する。これを外で寝かせて分解堆肥化させる。かぶと虫はビニ−ル袋２を食い切って中に侵入し産卵する。産卵から約８か月間自然にしておく。幼虫は綿状物を餌として３回ほど蛹化して３齢となる。う化後、３か月で約４０グラムの幼虫になる。
産卵飼育床を構成するこの塩化ビニ−ル袋２は、アスファルト舗装の上に積み重ねることができるが、１０段以上にしてはならない。
【実施例５】
【００１６】  図２に示すように、これは請求項１の竹チップ１、又は請求項２の綿状物１’、又は請求項３の混合物１”の層を２０ｃｍ積み、その上に畑の表土５をばらまき、これを繰り返して交互に重ねて重層状態にしたかぶと虫の産卵飼育床である。
かぶと虫は産卵しても、水分が多く含まれると幼虫が死んでしまう。この時の水分は、最初は７０％で、産卵時期（７〜８月）には６０％位がよい。雪の降る地方や雨の多い地方は、重層状態の産卵飼育床の上に３分の１の広さにわたって雨除けビニ−ルシ−ト４をかぶせる。そうすることにより、幼虫は水分の足りないときは水分の多いほう１５へ移動することができ、また、水分の多い場合には水分の少ないところ１６へ移動することができる。
この実施例においても、請求項４の脱塩水の海洋深層水、又は脱塩水の海洋深層水と乳酸菌を１０：１の割合にしたものを、重層状態のものに散布することができる。
【実施例６】
【００１７】  図３に示すように、これは、かぶと虫の越冬床としての産卵飼育床である。請求項１の竹チップ１、又は請求項２の綿状物１’、又は請求項３の混合物１”を山状に積む。この堆肥の山は幅２ｍ、高さ１．５ｍ位にするのが良い。積雪のある地方での利用に適し、その堆肥の山の中に、空気を送るために直径５〜７ｃｍの多数の孔６’をあけた送気用塩化ビニ−ルパイプ６を２本挿入する。これは５月になったら全部取り除く。
積雪１ｍ以上のところでは、雪の重さに耐えるように、トタン屋根８、又はビニ−ルシ−ト７で堆肥の山を覆うのが好ましい。
この実施例においても、請求項４の脱塩水の海洋深層水、又は脱塩水の海洋深層水と乳酸菌を１０：１の割合にしたものを堆肥の山に散布することができる。
【実施例７】
【００１８】  請求項１の竹チップ１、又は請求項２の綿状物１’、又は請求項３の混合物１”を山状に積む。図４に示すように、この堆肥の山は幅２ｍ、高さ１．５ｍ位にするのが良い。この程度の小さな山では、荷重が小さく、空気や光が入りやすいので産卵に適する。
これに対して、図５に示す堆肥の山は幅１０ｍ、高さ５ｍにしたもので産卵飼育床としては適さないものである。このように大きな山にすると、荷重がかかり、空気や光も内部まで到達しないので、そこでは産卵しない。産卵する部分は表層部分の産卵部分９のみであることがわかった。
【実施例８】
【００１９】  実施例４に示すように、請求項１の竹チップ１、又は請求項２の綿状物１’、又は請求項３の混合物１”を、縦、横、高さが４０＊６０＊１５ｃｍの塩化ビニ−ル袋２に約４０リットル詰めて産卵飼育床とした。このビニ−ル袋２には、上面に釘で小孔２’を２０か所開け、６か月間雨水が入るようにして自然に放置する。７月にかぶと虫の雌が産卵にやって来る（６か月前に産卵床を用意しておくと６０〜７０％の水分を含む）。雌が産卵後、２週間でう化し、１０月頃に３齢が終わり、幼虫が８〜９ｃｍ位になる。大きいものは４０ｇまでにも成長する。これに対して自然の木くず床で育った幼虫は小さい。
かくして育った幼虫が外へ逃げるのを防ぐために、或いは外敵から幼虫を守るために、図６に示すように、網目が２ｃｍ以下の金網又は強いビニ−ル網をビニ−ル袋２にかぶせたのがこの実施例である。
【実施例９】
【００２０】  図７に示すように、請求項１の竹チップ１、又は請求項２の綿状物１’、又は請求項３の混合物１”を、縦、横、高さが１８０＊１８０＊９０ｃｍの堆積物の越冬床とし、その越冬床としてのかぶと虫の産卵飼育床の上面の３分の１の部分にビニ−ル覆い１１をかぶせて成育試験を行った。
その結果、１月３１日  気温が低い日、幼虫は全部一番低い場所で冬眠。
３月２６日  ビニ−ル覆いを被せた所へ幼虫は全部上昇移動していた。
図８は、図７と同じ堆積物の越冬床であり、ビニ−ル覆い１１も同じである。
竹は、篠竹、真竹、葉竹、孟宗竹などどの種類でも良いが、床土作りには植物繊維の多いほうが好ましい。孟宗竹は繊維質が多いので２年間にわたり産卵できるが、篠竹は分解が早い分だけ１年しか産卵しない。
ビニ−ル覆い１１の下では、３齢幼虫１４に成長していたが、ビニ−ル覆い１１のない所では幼虫１３が小さかった。
【実施例１０】
【００２１】  請求項１、又は請求項２、又は請求項３、又は請求項４、又は請求項５、又は請求項６、又は請求項７に記載の竹材でなるかぶと虫の産卵飼育床として使用した床土は、虫かご用の床上として使用できる。
一般の飼育床は、水分を３〜７日毎に与えなければ乾燥して水分不足となるが、竹チップの腐葉土飼育床は、１５〜２０日毎に水分を与えるだけですむ。
本考案の竹チップを利用して産卵させ、幼虫から成虫に育ったものは、一般の方法で育ったものより大きく、元気が良いことも分かった。
また、竹チップの腐葉土飼育床は、肥料として利用できる。かぶと虫は幼虫からさなぎになるまでに８０００〜１００００個の糞をすることが分かっている。
【図面の簡単な説明】
【００２２】
【図１】  竹チップ１、又は竹の繊維と木質でなる綿状物１’、又は竹チップ混合物１”を中に詰め込んだ、小孔をあけたビニ−ル袋でなるかぶと虫の産卵飼育床を７段積み重ねた状態の正面図である。
【図２】  竹チップ１、又は竹の繊維と木質でなる綿状物１’、又は竹チップ混合物１”と薄い畑の表土とを交互に重ねて重層状態にしてなるかぶと虫の産卵飼育床の縦断面図である。
【図３】  積雪のある地方で、送気用塩化ビニ−ルパイプを使用し、トタン屋根又は雪除けビニ−ルシ−トを使用した越冬床としてのかぶと虫の産卵飼育床の縦断面図である。
【図４】  竹チップ１、又は竹の繊維と木質でなる綿状物１’、又は竹チップ混合物１”１”を山状に積んだものの高さを約１．５ｍ以下にした状態を示す概略図である。
【図５】  図４の山状に積んだものの高さを約５ｍ、幅を約１０ｍにした場合、表層部分にのみ産卵することを示す概略図である。
【図６】  図１に示す小孔をあけたビニ−ル袋に、金網又はビニ−ル網をかぶせた成虫床の概略斜視図である。
【図７】  越冬床としてのかぶと虫の産卵飼育床の上に、ビニ−ル覆いを使用したものの概略斜面図であって、幼虫がビニ−ル覆いの下へ上昇移動したことを示す。
【図８】  図７と同じく越冬床としてのかぶと虫の産卵飼育床の上に、ビニ−ル覆いを使用した概略斜面図であって、そのビニ−ル覆いの下の幼虫が、ビニ−ル覆いのないところの幼虫より大きく成長していたことを示す。
【符号の説明】
【００２３】  １    竹チップ
１’  竹の繊維と木質でなる綿状物
１”  竹チップ混合物
２    小孔をあけたビニ−ル袋
２’  小孔
３    地面
４    雨除けビニ−ルシ−ト
５    畑の表土
６    多数の孔を開けた塩化ビニ−ルパイプ
６’  孔
７    雪除けビニ−ルシ−ト
８    トタン屋根
９    竹チップの産卵部分
１０    ビニ−ル網又は金網
１１    ビニ−ル覆い
１２    かぶと虫の幼虫
１３    かぶと虫の小さい幼虫
１４    かぶと虫大きい３齢幼虫
１５    水分の多多い部分
１６    水分の少ない部分
【図１】
0003131516.tif 000003
【図２】
0003131516.tif 000004
【図３】
0003131516.tif 000005
【図４】
0003131516.tif 000006
【図５】
0003131516.tif 000007
【図６】
0003131516.tif 000008
【図７】
0003131516.tif 000009
【図８】
0003131516.tif 000010
【手続補正書】
【提出日】平成19年2月2日(2007.2.2)
【手続補正１】
【補正対象書類名】実用新案登録請求の範囲
【補正対象項目名】全文
【補正方法】変更
【補正の内容】
【実用新案登録請求の範囲】
【請求項１】
伐採した成竹の根っこ、幹、枝葉の全部を数センチメートルのチップ状に破砕した竹チップ（１）、又は伐採した成竹の幹を数センチメートルのチップ状に破砕し、これに約１０気圧の圧力を加えて木質と繊維を分離し、綿状にほぐした綿状物（１’）、又は伐採した成竹の根っこ、幹、枝葉の全部を数センチメートルのチップ状に破砕し、これに、竹チップのすでに堆肥化されたものを約１０％と、米糠約１０％と、鶏糞約１０％以上の割合で混合した混合物（１”）に、脱塩水の海洋深層水、又は脱塩水の海洋深層水と乳酸菌を１０：１の割合にしたものを散布したもの、又は散布しないものを、上面に複数の小孔（２’）をあけたビニール袋（２）に詰めてなる竹材によるかぶと虫の産卵飼育床。
【請求項２】
伐採した成竹の根っこ、幹、枝葉の全部を数センチメートルのチップ状に破砕した竹チップ（１）、又は伐採した成竹の幹を数センチメートルのチップ状に破砕し、これに約１０気圧の圧力を加えて木質と繊維を分離し、綿状にほぐした綿状物（１’）、又は伐採した成竹の根っこ、幹、枝葉の全部を数センチメートルのチップ状に破砕し、これに、竹チップのすでに堆肥化されたものを約１０％と、米糠約１０％と、鶏糞約１０％以上の割合で混合した混合物（１”）に、脱塩水の海洋深層水、又は脱塩水の海洋深層水と乳酸菌を１０：１の割合にしたものを散布したもの、又は散布しないものの層と、それより薄い畑の表土（５）とを交互に重ねて重層状態にし、その最上面の一部分に雨除けビニールシート（４）を載せてなる竹材によるかぶと虫の産卵飼育床。
【請求項３】
伐採した成竹の根っこ、幹、枝葉の全部を数センチメートルのチップ状に破砕した竹チップ（１）、又は伐採した成竹の幹を数センチメートルのチップ状に破砕し、これに約１０気圧の圧力を加えて木質と繊維を分離し、綿状にほぐした綿状物（１’）、又は伐採した成竹の根っこ、幹、枝葉の全部を数センチメートルのチップ状に破砕し、これに、竹チップのすでに堆肥化されたものを約１０％と、米糠約１０％と、鶏糞約１０％以上の割合で混合した混合物（１”）に、脱塩水の海洋深層水、又は脱塩水の海洋深層水と乳酸菌を１０：１の割合にしたものを散布したもの、又は散布しないものを山状に積み、その中に、多数の孔（６’）をあけた送気用塩化ビニールパイプ（６）を挿入してなる竹材によるかぶと虫の産卵飼育床。
【請求項４】
山状に積んだものの上に、トタン屋根（８）又は雪除けビニールシート（７）を覆ってなる、請求項３記載の竹材によるかぶと虫の産卵飼育床。
【請求項５】
網目が２ｃｍ以下の金網又はビニール網をかぶせてなる請求項１記載の竹材によるかぶと虫の産卵飼育床。
【請求項６】
伐採した成竹の根っこ、幹、枝葉の全部を数センチメートルのチップ状に破砕した竹チップ（１）、又は伐採した成竹の幹を数センチメートルのチップ状に破砕し、これに約１０気圧の圧力を加えて木質と繊維を分離し、綿状にほぐした綿状物（１’）、又は伐採した成竹の根っこ、幹、枝葉の全部を数センチメートルのチップ状に破砕し、これに、竹チップのすでに堆肥化されたものを約１０％と、米糠約１０％と、鶏糞約１０％以上の割合で混合した混合物（１”）に、脱塩水の海洋深層水、又は脱塩水の海洋深層水と乳酸菌を１０：１の割合にしたものを散布したもの、又は散布しないものの堆積物でなる越冬床としてのかぶと虫の産卵飼育床の上面の一部分にビニール覆い（１１）を載せてなる竹材によるかぶと虫の産卵飼育床。
【手続補正２】
【補正対象書類名】明細書
【補正対象項目名】全文
【補正方法】変更
【補正の内容】
【考案の詳細な説明】
【技術分野】
【０００１】  本考案は、竹材によるかぶと虫の産卵飼育床に関し、特に、竹チップを利用して自然産卵床、飼育床、さらには竹が持っている栄養成分、ミネラル、食物繊維などを幼虫の飼料として利用し、かぶと虫の幼虫の食用化を見据えて安全性をも考慮に入れた幼虫の成長を促がす竹材によるかぶと虫の産卵飼育床に関する。
【背景技術】
【０００２】  従来から、昆虫を利用した技術は養蜂や、養蚕など幾つかあるが、これまでかぶと虫は人工的に利用されたことはなく自然の中での成長にとどまっている。日本には、かぶと虫は一種類のみ棲息しており、真夏の暑い時にだけ成虫になって活動する。かぶと虫は、くぬぎやこならなどの樹木を好み、その落ち葉が堆積して腐葉土となる中で自然繁殖し、成虫となり、子どもたちの夏休みの生態観察に供されてきた。
しかし、成虫ではなく幼虫の利用、特に、食用に利用することはこれまで考えられたことはないので、かぶと虫の産卵飼育床となる落ち葉の堆肥化の期間を、より短縮させることにより、結果的に幼虫を、より短期間に、より多く、より大きく飼育する方法も考えられたことはない。まして、竹チップを利用して自然産卵床、飼育床とし、同時にかぶと虫の幼虫の飼料にすることなど考えられたことはない。
一般に、落ち葉等の堆肥化においては、窒素分を与え、切り替えをし、１年間堆積しなければ産卵させることはできない。【０００３】
【実用新案登録文献１】
なし
【非実用新案登録文献１】
なし
【考案の開示】
【考案が解決しようとする課題】
【０００４】  かぶと虫の産卵飼育床の素材となる竹には、ヘミセルロース（糖分）、セルロース（炭水化物）、リグニン（炭化水素）、種々のミネラル、ケイ酸、必須アミノ酸、ビタミンＡ、Ｂ、Ｃ、Ｋ等が含まれているので、かぶと虫の幼虫の飼料に適する。種々のミネラルには、カルシウム、カリウム、リン、鉄、マグネシウム、セレン、亜鉛等が含まれる。（検査方法は竹の粉末を試料にして茶の方法で試験した。）【０００５】  竹チップが自然分解するには、微生物が働かなければならない。微生物の体も有機生物であって窒素分を必要とする。有機物を分解するための微生物が増殖するには、その分解する元素量に見合う窒素が必要である。有機物は炭素分が多いので土壌中の有機物のＣ／Ｎ比（炭素と窒素の比）が高いと窒素は細菌に餌として採り込まれ、微生物の菌体構成分となる。竹の青葉の部分は窒素分が多いので、窒素分の補充のため竹の枝葉を破砕して入れることにより、他から窒素分を補充しなくても微生物が竹チップを十分に分解し、竹の自然の落葉の腐葉土と同じ腐葉土ができる、つまり堆肥化されるのである。【０００６】  さらに、竹の幹部の組織の維管束とその構成部の導管や篩管維管束鞘を連絡する孔が、微生物の格好の棲み家となる。
有機物を分解する微生物は主に好気性菌である。有機物が分解されていくと空間が減少し嫌気性の環境になっていく。従って分解が進んでも通気性が保たれる環境が望ましい。それには、強度があり、中孔の多いセルロース分が混ざっているのが微生物の棲み家として望ましく、その意味でも竹材は好適である。
このような理由から、かぶと虫の産卵飼育床の素材として竹を利用する。【０００７】  そこで、竹チップを利用してかぶと虫の自然産卵床、飼育床とし、同時にかぶと虫の幼虫の飼料にし、最終的には肥料としても利用できるようにすることを本考案の第１の課題とする。
かぶと虫の産卵飼育床となる竹チップの堆肥化の期間を、より短縮させることにより、結果的に、幼虫の成育期間をより短縮させ、より大きく飼育することを本考案の第２の課題とする。
竹チップの堆肥化においては、窒素分を与えたり、切り替えをしたりする必要がなく、積雪の地においても、また塩化ビニール袋に入れてアスファルト地面の上においても利用できるようなかぶと虫の産卵飼育床を提供することを本考案の第３の課題とする。
かぶと虫の幼虫の利用、特に食用に供することを想定して、幼虫の飼育中、人の健康に不適切と思われる添加物を一切使用しないように配慮した、かぶと虫の産卵飼育床を提供することを本考案の第４の課題とする。
かぶと虫のほか、くわがたも含むものとする。
【課題を解決するための手段】
【０００８】  本考案は、伐採した成竹の根っこ、幹、枝葉の全部をチップ状に破砕し、その竹チップ１を堆積し、成竹の大きさによって約１〜６か月間外で寝かせ、自然に分解させてなる竹材によるかぶと虫の産卵飼育床であり、
また、伐採した成竹の幹を数センチメートルのチップ状に破砕し、これに約１０気圧の圧力を加えて木質と繊維を分離し、綿状にほぐした綿状物１’を堆積し、外で寝かせて自然に分解させてなる竹材によるかぶと虫の産卵飼育床であり、
また、伐採した成竹の根っこ、幹、枝葉の全部を数センチメートルのチップ状に破砕し、これに、竹チップのすでに堆肥化されたものを約１０％と、米糠約１０％と、鶏糞（自然に放し飼いされたもののみ使用）約１０％以上の割合で混合した混合物を堆積し、外で寝かせ、自然に分解させてなる竹材によるかぶと虫の産卵飼育床であり、
また、脱塩水の海洋深層水、又は脱塩水の海洋深層水と乳酸菌を１０：１の割合にしたものを散布してなる竹材によるかぶと虫の産卵飼育床であり、
竹チップ１、又は綿状物１’、又は混合物１”に、脱塩水の海洋深層水、又は脱塩水の海洋深層水と乳酸菌を１０：１の割合にしたものを散布したもの、又は散布しないものを、上面に複数の小孔２’をあけたビニール袋２に詰めてなる竹材によるかぶと虫の産卵飼育床である。
【考案の効果】
【０００９】  竹は、かぶと虫の産卵や幼虫の成育に次のような効果を有する。
竹はブドウ糖が多く、植物糖分を有する。竹澱粉は窒素を還元して養分を作り、ブドウ糖は脂肪となる。ブドウ糖が土の中に入ると微生物の餌となり、燐溶解細菌を増殖する。竹は鉄、マグネシウムを多量に含むので鉄蛋白の中核成分の働きで肥料バランスがよくなる。鉄は窒素や燐酸と結合するため栄養豊富な竹腐葉土になる。マグネシウムは葉緑素の中核成分である炭酸同化作用の必須成分である。
さらに、竹は、微生物の餌として次のような効果を有する。
有機物の分解は、低分子糖分、セルローズ、ヘミセルローズ、リグニンへと化学変化する。この分解過程では、種類の異なる多くの微生物が一定の法則で現れ消える（微生物遷移）。糖質分が多いと微生物の活動が活発化し、生育し易くなる（多糖類微生物増殖）。小動物の餌となり昆虫やみみずの発生を促す。微生物の遷移期間中、微生物の分泌物や排泄物が植物に吸態燐を生する。そして微生物中の燐溶解性細菌が好む燐酸質の餌が出来るので竹チップがかぶと虫の産卵育成床となる。
また、竹は、微生物の住み処としての優れた物理的条件をもつ効果を有する。
有機物の分解微生物の主たるものは好気性菌であるため、有機物の分解は周囲の空間を減少させることになり、嫌気性環境となるので通気性環境が望まれる。竹は強度で中孔の多いセルロースができるので微生物の住み処としての優れた環境をもたらす。【００１０】  上述のような竹の効用に鑑み、本考案は、竹チップを利用してかぶと虫の自然産卵床、飼育床とし、同時にかぶと虫の幼虫の飼料にして成育を促し、最終的には肥料としても利用できる効果がある。
竹材を、上述の竹チップ１や、綿状物１’や、混合物１”に加工することにより、竹チップの堆肥化の期間を短縮させ、結果的に、幼虫の成育期間をそれだけ短縮させ、竹の餌によってより大きく成育させることができる効果がある。
竹チップの堆肥化においては、窒素分の多い竹の枝葉もチップにするので窒素分を与える必要がなく、竹の強度で中孔の多いセルロースにより切り替えをする必要がなく、積雪の地においても、通気孔のあるビニールパイプや雪よけビニールシートの使用により、本考案のかぶと虫の産卵飼育床を利用でき、また普通の塩化ビニール袋に入れてアスファルト地面の上においても利用できる効果がある。
添加物としては、脱塩水の海洋深層水、乳酸菌、米糠を使用し、人の健康に配慮しているので、本考案の産卵飼育床で成育した幼虫を安心して食用に供することができる効果がある。
【考案を実施するための最良の形態】
【００１１】  伐採した成竹の幹を植繊機で３〜５ｃｍのチップ状に破砕し、これに約１０気圧の圧力を加えて木質と繊維を分離し、綿状にほぐした綿状物１’を、縦、横、高さが４０＊６０＊１５ｃｍの塩化ビニール袋２に約４０リットル詰めて産卵飼育床とする。このビニール袋２には、上面に小孔２’を２０か所くらい開け、雨水が入るようにする。水分は自然に放置して６０〜７０％を保持する。これを外で寝かせて分解堆肥化させる。産卵から約８か月間自然にしておく。幼虫は綿状物を餌として３回ほど蛹化して３齢となる。う化後、３か月で約４０グラムの幼虫になる。
【実施例１】
【００１２】  伐採した成竹（大きい竹から小さい竹まで）の根っこ、幹、枝葉の全部を、大型粉砕機で１〜５ｃｍのチップ状に破砕する。その竹チップ１を堆積し、細い竹では１か月くらい、太い竹では６か月くらい自然に外で寝かせ、自然に分解させる。枝葉を同時に破砕することにより破砕、堆積後、３日くらいで約８０度の温度になる。この場合、分解が一般の堆肥化より半分以下の日数で早く進み、かぶと虫の産卵床、幼虫の飼育床、餌としてそれだけ早く利用できる。
自然界、竹林、山林に自然産卵させる場合、６月の終わり頃、脱塩水の海洋深層水、又は脱塩水の海洋深層水と乳酸菌を１０：１の割合にしたものを堆積した竹チップ１に散布する。１〜６か月寝かせた産卵飼育床は自然乾燥や機械乾燥させておけば、後で水分を加えるたけで産卵床、飼育床としてすぐに利用できる。
脱塩水の海洋深層水は、産卵半月ほど前に３立方メートルの堆積した竹チップ１に４０リットル散布する。
【実施例２】
【００１３】  伐採した成竹の幹を、植繊機で３〜５ｃｍのチップ状に破砕し、これに約１０気圧の圧力を加えて木質と繊維を分離してほぐし、綿状にほぐした綿状物１’を、を堆積し、外で寝かせて自然に分解させてなるかぶと虫の産卵飼育床である。このように木質と繊維を分離してほぐすと、通常の堆肥化の期間より３分の１の期間で堆肥化ができる。早く堆肥化、即ち腐葉土化できれば、それだけ早く産卵させることができる。
この場合も、脱塩水の海洋深層水、又は脱塩水の海洋深層水と乳酸菌を１０：１の割合にしたものを、堆積し、綿状にほぐした綿状物１’に散布することもできる。
【実施例３】
【００１４】  伐採した成竹の根っこ、幹、枝葉の全部を、大型粉砕機で１〜５ｃｍのチップ状に破砕する。これに、竹チップのすでに堆肥化されたものを約１０％と、米糠約１０％と、鶏糞（自然に放し飼いされたもののみ使用）約１０％以上の割合で混合した混合物１”を堆積し、外で寝かせ、自然に分解させてなるかぶと虫の産卵飼育床である。
この場合も、脱塩水の海洋深層水、又は脱塩水の海洋深層水と乳酸菌を１０：１の割合にしたものを、堆積した混合物に１”に散布することもできる。
【実施例４】
【００１５】  図１に示すように、竹チップ（実施例１）１、又は綿状物（実施例２）１’、又は混合物（実施例３）１”を、縦、横、高さが４０＊６０＊１５ｃｍの塩化ビニール袋２に約４０リットル詰めて産卵飼育床とする。このビニール袋２には、上面に小孔２’を２０か所くらい開け、雨水が入るようにする。水分は自然に放置して６０〜７０％を保持する。これを外で寝かせて分解堆肥化させる。かぶと虫はビニール袋２を食い切って中に侵入し産卵する。産卵から約８か月間自然にしておく。幼虫は綿状物を餌として３回ほど蛹化して３齢となる。う化後、３か月で約４０グラムの幼虫になる。
産卵飼育床を構成するこの塩化ビニール袋２は、アスファルト舗装の上に積み重ねることができるが、１０段以上にしてはならない。
【実施例５】
【００１６】  図２に示すように、これは竹チップ（実施例１）１、又は綿状物（実施例２）１’又は混合物（実施例３）１”の層を２０ｃｍ積み、その上に畑の表土５をばらまき、これを繰り返して交互に重ねて重層状態にしたかぶと虫の産卵飼育床である。
かぶと虫は産卵しても、水分が多く含まれると幼虫が死んでしまう。この時の水分は、最初は７０％で、産卵時期（７〜８月）には６０％位がよい。雪の降る地方や雨の多い地方は、重層状態の産卵飼育床の上に３分の１の広さにわたって雨除けビニールシート４をかぶせる。そうすることにより、幼虫は水分の足りないときは水分の多いほう１５へ移動することができ、また、水分の多い場合には水分の少ないところ１６へ移動することができる。
この実施例においても、脱塩水の海洋深層水、又は脱塩水の海洋深層水と乳酸菌を１０：１の割合にしたものを、重層状態のものに散布することができる。
【実施例６】
【００１７】  図３に示すように、これは、かぶと虫の越冬床としての産卵飼育床である。竹チップ（実施例１）１、又は綿状物（実施例２）１’、又は混合物（実施例３）１”を山状に積む。この堆肥の山は幅２ｍ、高さ１．５ｍ位にするのが良い。積雪のある地方での利用に適し、その堆肥の山の中に、空気を送るために直径５〜７ｃｍの多数の孔６’をあけた送気用塩化ビニールパイプ６を２本挿入する。これは５月になったら全部取り除く。
積雪１ｍ以上のところでは、雪の重さに耐えるように、トタン屋根８、又はビニールシート７で堆肥の山を覆うのが好ましい。
この実施例においても、脱塩水の海洋深層水、又は脱塩水の海洋深層水と乳酸菌を１０：１の割合にしたものを堆肥の山に散布することができる。
【実施例７】
【００１８】  竹チップ（実施例１）１、又は綿状物（実施例２）１’、又は混合物（実施例３）１”を山状に積む。図４に示すように、この堆肥の山は幅２ｍ、高さ１．５ｍ位にするのが良い。この程度の小さな山では、荷重が小さく、空気や光が入りやすいので産卵に適する。
これに対して、図５に示す堆肥の山は幅１０ｍ、高さ５ｍにしたもので産卵飼育床としては適さないものである。このように大きな山にすると、荷重がかかり、空気や光も内部まで到達しないので、そこでは産卵しない。産卵する部分は表層部分の産卵部分９のみであることがわかった。
【実施例８】
【００１９】  実施例４に示すように、竹チップ１、又は綿状物１’、又は混合物１”を、縦、横、高さが４０＊６０＊１５ｃｍの塩化ビニール袋２に約４０リットル詰めて産卵飼育床とした。このビニール袋２には、上面に釘で小孔２’を２０か所開け、６か月間雨水が入るようにして自然に放置する。７月にかぶと虫の雌が産卵にやって来る（６か月前に産卵床を用意しておくと６０〜７０％の水分を含む）。雌が産卵後、２週間でう化し、１０月頃に３齢が終わり、幼虫が８〜９ｃｍ位になる。大きいものは４０ｇまでにも成長する。これに対して自然の木くず床で育った幼虫は小さい。
かくして育った幼虫が外へ逃げるのを防ぐために、或いは外敵から幼虫を守るために、図６に示すように、網目が２ｃｍ以下の金網又は強いビニール網をビニール袋２にかぶせたのがこの実施例である。
【実施例９】
【００２０】  図７に示すように、竹チップ（実施例１）１、又は綿状物（実施例２）１’、又は混合物（実施例３）１”を、縦、横、高さが１８０＊１８０＊９０ｃｍの堆積物の越冬床とし、その越冬床としてのかぶと虫の産卵飼育床の上面の３分の１の部分にビニール覆い１１をかぶせて成育試験を行った。
その結果、１月３１日  気温が低い日、幼虫は全部一番低い場所で冬眠。
３月２６日  ビニール覆いを被せた所へ幼虫は全部上昇移動していた。
図８は、図７と同じ堆積物の越冬床であり、ビニール覆い１１も同じである。
竹は、篠竹、真竹、葉竹、孟宗竹などどの種類でも良いが、床土作りには植物繊維の多いほうが好ましい。孟宗竹は繊維質が多いので２年間にわたり産卵できるが、篠竹は分解が早い分だけ１年しか産卵しない。
ビニール覆い１１の下では、３齢幼虫１４に成長していたが、ビニール覆い１１のない所では幼虫１３が小さかった。
【実施例１０】
【００２１】  請求項１、又は請求項２、又は請求項３、又は請求項６に記載の竹材でなるかぶと虫の産卵飼育床として使用した床土は、虫かご用の床土として使用できる。
一般の飼育床は、水分を３〜７日毎に与えなければ乾燥して水分不足となるが、竹チップの腐葉土飼育床は、１５〜２０日毎に水分を与えるだけですむ。
本考案の竹チップを利用して産卵させ、幼虫から成虫に育ったものは、一般の方法で育ったものより大きく、元気が良いことも分かった。
また、竹チップの腐葉土飼育床は、肥料として利用できる。かぶと虫は幼虫からさなぎになるまでに８０００〜１００００個の糞をすることが分かっている。
【図面の簡単な説明】
【００２２】
【図１】  竹チップ１、又は竹の繊維と木質でなる綿状物１’、又は竹チップ混合物１”を中に詰め込んだ、小孔をあけたビニール袋でなるかぶと虫の産卵飼育床を７段積み重ねた状態の正面図である。
【図２】  竹チップ１、又は竹の繊維と木質でなる綿状物１’、又は竹チップ混合物１”と薄い畑の表土とを交互に重ねて重層状態にしてなるかぶと虫の産卵飼育床の縦断面図である。
【図３】  積雪のある地方で、送気用塩化ビニールパイプを使用し、トタン屋根又は雪除けビニールシートを使用した越冬床としてのかぶと虫の産卵飼育床の縦断面図である。
【図４】  竹チップ１、又は竹の繊維と木質でなる綿状物１’、又は竹チップ混合物１”１”を山状に積んだものの高さを約１．５ｍ以下にした状態を示す概略図である。
【図５】  図４の山状に積んだものの高さを約５ｍ、幅を約１０ｍにした場合、表層部分にのみ産卵することを示す概略図である。
【図６】  図１に示す小孔をあけたビニール袋に、金網又はビニール網をかぶせた成虫床の概略斜視図である。
【図７】  越冬床としてのかぶと虫の産卵飼育床の上に、ビニール覆いを使用したものの概略斜面図であって、幼虫がビニール覆いの下へ上昇移動したことを示す。
【図８】  図７と同じく越冬床としてのかぶと虫の産卵飼育床の上に、ビニール覆いを使用した概略斜面図であって、そのビニール覆いの下の幼虫が、ビニール覆いのないところの幼虫より大きく成長していたことを示す。
【符号の説明】
【００３５】  １    竹チップ
１’  竹の繊維と木質でなる綿状物
１”  竹チップ混合物
２    小孔をあけたビニール袋
２’  小孔
３    地面
４    雨除けビニールシート
５    畑の表土
６    多数の孔を開けた塩化ビニールパイプ
６’  孔
７    雪除けビニールシート
８    トタン屋根
９    竹チップの産卵部分
１０    ビニール網又は金網
１１    ビニール覆い
１２    かぶと虫の幼虫
１３    かぶと虫の小さい幼虫
１４    かぶと虫大きい３齢幼虫
１５    水分の多多い部分
１６    水分の少ない部分